(57)【要約】      （修正有）【課題】床面からの高さ変更可能に構成している家具の脚装置において、簡単な構成により良好な見栄えを実現する。【解決手段】家具本体の天板１を支持し、床面からの高さ変更可能な脚４に、起立姿勢で配置され中空部を有するアウター部材４１とこのアウター部材４１に挿入して高さ方向に突没可能に配置され、高さ方向に離間させた複数の係合凹部４２ａを形成したインナー部材４２と、インナー部材４２の外面に外方から装着することにより前記アウター部材４１と前記インナー部材４２との相対移動を規制するストッパ部材４３とを具備させ、前記ストッパ部材４３に前記係合凹部４２ａと係合可能な係合凸部４３１を設け、前記アウター部材４１と前記ストッパ部材４３との間に、前記ストッパ部材４３を前記インナー部材４２に取付けた状態で前記アウター部材４１と前記インナー部材４２との抜脱等の相対移動を規制する移動規制手段４５を形成する。【選択図】図７
2004166939.tif 000002
【特許請求の範囲】
【請求項１】
床面から起立して家具本体を支持し、この家具本体の床面からの高さ位置を変更可能に構成しているものであって、
起立姿勢で配置され高さ方向に連続する中空部を有するアウター部材と、このアウター部材に挿入して高さ方向に突没可能に配置され、高さ方向に離間させた複数の係合凹部を形成したインナー部材と、インナー部材の外面に外方から装着することにより前記アウター部材と前記インナー部材との相対移動を規制するストッパ部材とを具備し、前記ストッパ部材に前記係合凹部と係合可能な係合凸部を設け、前記アウター部材と前記ストッパ部材との間に、前記ストッパ部材を前記インナー部材に取り付けた状態で前記アウター部材と前記インナー部材との相対移動を規制する移動規制手段を形成していることを特徴とする脚装置。
【請求項２】
前記ストッパ部材が、一部を開放した概略環状をなす形状を有し弾性変形可能なものであって、取り付け過程において弾性変形によりストッパ部材の開放部位を拡縮し、その内周面を前記インナー部材の外周面に対面させることを特徴とする請求項１記載の脚装置。
【請求項３】
同一の高さ位置に前記インナー部材の周方向に離間させて複数形成した前記係合凹部の組を、高さ方向において離間させて複数形成するとともに、前記ストッパ部材に、前記係合凹部の組に対応させて係合凸部を複数形成していることを特徴とする請求項１又は２記載の脚装置。
【請求項４】
前記移動規制手段が、アウター部材又はストッパ部材の一方に形成した係合爪と、前記アウター部材又は前記ストッパ部材の他方に前記係合爪と係合可能に形成した係合溝とを具備していることを特徴とする請求項１、２又は３記載の脚装置。
【請求項５】
前記ストッパ部材の前記アウター部材に衝き当たる部位に、前記アウター部材の端部を圧入させるよう構成したアウター部材挿入部を設け、このアウター部材挿入部と前記アウター部材の端部とが前記移動規制手段として機能するようにしていることを特徴とする請求項１、２、３又は４記載の脚装置。
【請求項６】
前記インナー部材が高さ方向に連続する中空部を有し、係合凹部内にこの係合凹部を通じて前記中空部内と外部とを遮断する底部を設けていることを特徴とする請求項１、２、３、４又は５記載の脚装置。
【請求項７】
前記係合凹部の底部の外方に露出した面に前記家具本体の床面からの高さ寸法を表示し得るように構成した表示部を設けていることを特徴とする請求項６記載の脚装置。
【請求項８】
床面から起立して天板を支持し、この天板の床面からの高さ位置を変更可能に構成している脚装置を具備するものであって、
前記脚装置が、起立姿勢で配置され高さ方向に連続する中空部を有するアウター部材と、このアウター部材に挿入して高さ方向に突没可能に配置され、高さ方向に離間させた複数の係合凹部を形成したインナー部材と、インナー部材の外面に外方から装着することにより前記アウター部材と前記インナー部材との相対移動を規制するストッパ部材とを具備し、前記ストッパ部材に前記係合凹部と係合可能な係合凸部を設け、前記アウター部材と前記ストッパ部材との間に、前記ストッパ部材を前記インナー部材に取り付けた状態で前記アウター部材と前記インナー部材との相対移動を規制する移動規制手段を形成していることを特徴とする天板付き家具。
【発明の詳細な説明】
【０００１】
【発明の属する技術分野】
本発明は、床面から起立して家具本体を支持し、この家具本体の床面からの高さ位置を変更可能に構成している脚装置、及びこの脚装置を用いた天板付き家具に関する。
【０００２】
【従来の技術】
従来より、例えば天板付き家具の天板等、脚が支持する対象である家具本体の床面からの高さを複数の高さ位置から選択的に変更し得る構成を有する脚装置が考えられている。その多くは、脚が、起立姿勢で配置され高さ方向に連続する中空部を有するアウター部材と、前記アウター部材に挿入するよう構成しているインナー部材とを具備し、前記インナー部材を前記アウター部材に対して突没させて脚の長さ寸法を変更可能に構成しているとともに、前記インナー部材の前記アウター部材に対する突没を規制する止め具をさらに具備し、インナー部材又はアウター部材のいずれか一方にこの止め具と係合するする止め具固定手段を上下方向に間欠的に複数設け、前記止め具固定手段のいずれかに前記止め具を固定するとともに、前記インナー部材及び前記アウター部材の他方とこの止め具とを係り合わせて家具本体の床面からの高さ位置を決定するようにしている。
【０００３】
一例として、前記家具本体として可動板を有するとともに、前記インナー部材としてこの可動板を支持するフレーム、前記アウター部材としてこのフレームを挿通させるようにしている床頭台本体をそれぞれ有し、前記フレームと前記床頭台本体とが協働して前記脚として機能するとともに、前記止め具としてネジ、前記止め具固定手段としてインナー部材に設けたネジ孔を有する床頭台について述べる。この床頭台は、前記アウター部材の内部にインナー部材を挿入するようにしている。そして、前記アウター部材に止め具を挿し通すネジ挿通孔を設けているとともに、止め具を前記ネジ挿通孔に挿し通して前記止め具固定手段にネジ止めすることにより止め具をアウター部材及びインナー部材に対して係り合わせて前記家具本体の高さ位置を決定するようにしている。（例えば、特許文献１参照。）
また、別の一例として、インナー部材に止め具固定手段たる止め具挿通孔を上下方向に間欠的に複数設け、この止め具挿通孔に止め具を挿し通した状態で、アウター部材をインナー部材の上方から被せるようにして取り付け、アウター部材を止め具に衝き当てて家具本体の高さ位置を決定する構成が考えられている。
【０００４】
さらに、前記家具本体として天板、前記アウター部材として起立して設けられる固定支柱、前記インナー部材としてこの固定支柱に挿入するように構成している移動支柱、前記脚としてこれら固定支柱及び移動支柱を具備する脚部、前記止め具として挿入子、前記止め具固定手段として前記アウター部材の内面に上下方向に間欠的に複数の挿入孔を設けた板材をそれぞれ有するテーブルの場合について説明する。このテーブルは、前記インナー部材に水平軸を介して回動アームを取り付け、この回動アームの一端に前記止め具固定手段に挿入可能な止め具を設けているとともに、他端に連結機構を介して操作部を設け、この操作部を介して止め具の突没操作を行なうようにしている。また、この止め具は、スプリングを介して止め具固定手段に挿入される方向に付勢されている。そして、前記操作部を介して前記止め具を前記止め具固定手段から取り外す操作を行い、家具本体を昇降可能な状態にし、所望の家具本体の高さ位置を得た際に前記操作部を介して止め具を前記止め具固定手段に挿入させる操作を行いて家具本体の高さ位置を決定するようにしている。（例えば、特許文献２参照。）
【０００５】
【特許文献１】
特開２００１−１２１３０号公報（第５頁、第１８図）
【特許文献２】
特開平１１−１１３６３９号公報（第３〜５頁、第４〜６図、第８図）
【０００６】
【発明が解決しようとする課題】
ところが、特許文献１記載の構成では、止め具の基端部であるネジのグリップ、及び使用されていない止め具固定手段であるネジ孔が露出しているが、特に、止め具の端部が外部に露出していると見栄えの面で好ましくないと感じられる場合がある。
【０００７】
また、止め具をインナー部材に挿し通し、アウター部材をインナー部材の上方から被せるようにして取り付ける構成では、止め具とアウター部材とを隙間なく係合させて止め具を目立たなくし、見栄えを整えることができる。しかし、天板を持ち上げると、アウター部材を止め具に載せているだけなので、インナー部材がアウター部材から抜脱してしまい、運搬の際等に不便が生じるという不具合が生じる。また、使用されていない止め具固定手段は、このような構成でも露出している。
【０００８】
さらに、特許文献２記載の構成では、確かに止め具をインナー部材の内部から止め具固定手段に挿入するようにしていて、止め具固定手段の外面側はアウター部材により隠蔽されているので、見栄えを良好にでき、スプリングにより止め具を止め具固定手段方向に向けて付勢しているので、天板を持ち上げた際にインナー部材がアウター部材から抜脱する不具合も起こりにくい。しかし、止め具を止め具固定手段方向に向けて付勢するスプリングや、挿入子の操作を行う操作部と接続する回動アームを別に設ける必要があり、構成が複雑になる別の不具合が発生する。また、この特許文献２記載の構成においては、止め具固定手段は完全に隠蔽されているが、逆に止め具固定手段は露出させて、この止め具固定手段に床面からの天板の高さ寸法を表示させるとより便利である場合もあり得る。
【０００９】
本発明は、以上に述べた課題を解決すべく構成するものである。
【００１０】
【課題を解決するための手段】
すなわち本発明に係る脚装置は、床面から起立して家具本体を支持し、この家具本体の床面からの高さ位置を変更可能に構成しているものであって、起立姿勢で配置され高さ方向に連続する中空部を有するアウター部材と、このアウター部材に挿入して高さ方向に突没可能に配置され、高さ方向に離間させた複数の係合凹部を形成したインナー部材と、インナー部材の外面に外方から装着することにより前記アウター部材と前記インナー部材との相対移動を規制するストッパ部材とを具備し、前記ストッパ部材に前記係合凹部と係合可能な係合凸部を設け、前記アウター部材と前記ストッパ部材との間に、前記ストッパ部材を前記インナー部材に取り付けた状態で前記アウター部材と前記インナー部材との相対移動を規制する移動規制手段を形成していることを特徴とする。
【００１１】
このようなものであれば、インナー部材に設けた係合凹部とストッパ部材に設けた係合凸部とを係り合わせるとともに、前記アウター部材と前記ストッパ部材との間に、前記ストッパ部材をインナー部材の外面に外方から装着して取り付けた状態で前記アウター部材と前記インナー部材との相対移動を規制する移動規制手段を形成しているので、このストッパ部材は前記アウター部材のキャップのように見せかけることができ、簡単な構成により特許文献１記載の態様と比較して見栄えをよくできる。さらに、前記係合凹部と前記係合凸部とを係り合わせた状態で前記アウター部材と前記ストッパ部材との間に設けた前記移動規制手段を機能させることにより、確実に前記アウター部材と前記インナー部材との抜脱等の相対移動を規制することができる。また、使用していない前記係合凹部は外部に露出するが、この係合凹部は係合凸部に対応した大きさを有するので、この係合凹部に底部を設ければ、この底部を利用して床面からの天板の高さ位置を十分な大きさで表示させるようにもできる。
【００１２】
このような脚装置を簡単な構成で実現し、このような脚装置が支持する家具本体の床面からの高さ位置の変更を簡単な操作で行うことができるようにするには、前記ストッパ部材が、一部を開放した概略環状をなす形状を有し弾性変形可能なものであって、取り付け過程において弾性変形によりストッパ部材の開放部位を拡縮し、その内周面を前記インナー部材の外周面に対面させるようにすればよい。弾性変形によりストッパ部材の開放部位を拡縮させて前記インナー部材から取り外し、再び弾性変形によりストッパ部材の開放部位を拡縮させて異なる高さ位置の係合凹部に係合片を係合させるように前記インナー部材に装着することにより、前記ストッパ部材と前記アウター部材とを異なる高さ位置で係り合わせ、このような脚装置が支持する家具本体の床面からの高さ位置を変更できるからである。
【００１３】
同一の高さ位置に前記インナー部材の周方向に離間させて複数形成した前記係合凹部の組を、高さ方向において離間させて複数形成するとともに、前記ストッパ部材に、前記係合凹部の組に対応させて係合凸部を複数設けているものであれば、複数組の係合凹部と係合片とが係り合うので、アウター部材とインナー部材との接続をより安定させることができる。
【００１４】
前記ストッパ部材と前記アウター部材とを係り合わせる構成を簡単な構成で実現するには、前記移動規制手段に、アウター部材又はストッパ部材の一方に形成した係合爪と、前記アウター部材又は前記ストッパ部材の他方に前記係合爪と係合可能に形成した係合溝とを具備させるとよい。また、このようなものであれば、前記係合爪と前記係合溝とは外部に露出せず、見栄えを良好にできる。
【００１５】
前記アウター部材と前記インナー部材との相対移動の規制を安定して行うようにするには、前記ストッパ部材の前記アウター部材に衝き当たる部位に、前記アウター部材の端部を圧入させるよう構成したアウター部材挿入部を設け、このアウター部材挿入部と前記アウター部材の端部とを前記移動規制手段として機能させるようにするとよい。また、ストッパ部材の開放部位を拡縮し、その内周面を前記インナー部材の外周面に対面させてストッパ部材をインナー部材に取り付けるようにしているものであれば、このように構成すると、ストッパ部材が変形して拡開し、前記インナー部材から外れてしまうことも防ぐことができるようになる。
【００１６】
前記インナー部材が高さ方向に連続する中空部を有し、係合凹部内にこの係合凹部を通じて前記中空部内と外部とを遮断する底部を設けているものであれば、光が前記インナー部材の中空部に漏れないようにでき、見栄えをさらに良好にできる。
【００１７】
前記係合凹部の底部の外方に露出した面に前記家具本体の床面からの高さ寸法を表示し得るように構成した表示部を設けているものであれば、この表示部に前記家具本体の床面からの高さ寸法を表示することにより、所望の高さ位置に家具本体を位置付けることを前記表示部に表示した前記家具本体の床面からの高さ寸法を参照して簡単に行うことができる。
【００１８】
以上のように構成した脚装置は、特に天板付き家具に好適に用いることができる。
【００１９】
【発明の実施の形態】
以下、本発明の一実施形態を、図面を参照して説明する。
【００２０】
本実施形態に係る天板付き家具Ｔは、図１に全体斜視図、図２に分解斜視図を示すように、天板１と、この天板１を支持する脚構造体２とを具備する。
【００２１】
前記天板１は、本実施形態では隅部に丸みを設けた略矩形状で、使用端縁１ａを内方に窪ませているとともに、反使用端縁１ｂ及び側端縁１ｃを外方に膨出させている形状をなす。
【００２２】
前記脚構造体２は、天板１を支持する枠体３と、この枠体３から略鉛直下方に延びる脚装置たる脚４と、前記脚４の下端部に設けられ、床面に接する部位を有する接地体たるアジャスタ５とを具備する。
【００２３】
前記枠体３は、幅方向に延びる第１横架材（図示略）と、奥行き方向に延びる第２横架材３２と、隅部に配置し、前記第１横架材と前記第２横架材３２とを接続するコーナー部材３３とを備えていて、全体としては略矩形状をなす。前記第１横架材及び前記第２横架材３２は、同一の断面形状を有し、長手方向に連続する中空部を備えている。前記コーナー部材３３は、略正方形の板状をなす本体３３１と、この本体３３１から天板１の幅方向に突出して設けられ、前記第１横架材３１の中空部に挿入してこのコーナー部材３３と第１横架材とを接続する第１接続部３３２と、前記本体３３１から天板１の奥行き方向に突出して設けられ、前記第２横架材３２の中空部に挿入してこのコーナー部材３３と第２横架材３２とを接続する第２接続部３３３と、前記本体３３１から外方に突出して設けられ、下方に前記脚４を取り付ける脚取付部３３４と、前記本体３３１と前記天板１との間に位置させるカバー３３５とを有する。前記第１接続部３３２及び前記第２接続部３３３には、それぞれ雌ねじ穴３３２ａ、３３３ａが形成してあり、前記第１横架材及び前記第２横架材３２に形成した図示しないネジ挿通孔とそれぞれ重合させて、ネジ部材Ｂ０により前記第１横架材３１及び前記第２横架材３２をこのコーナー部材３３に固定するようにしている。前記脚取付部３３４は、その突出端の底面に、鉛直方向に垂下させた円柱状をなす下向き凸部３３４ａを設けており、この下向き凸部３３４ａの中心軸が前記天板１の隅部１ｄに形成した円弧の中心近傍を通過するようにしているとともに、この下向き凸部３３４ａに取り付ける脚支柱４（アウター部材４１及びインナー部材４２を含む）も平面視した場合に上方から天板１に隠されるような寸法としている。さらに、この下向き凸部３３４ａにはネジ山を形成していて、後述する脚支柱４を構成する丸パイプ状のアウター部材４１の上端部４１ｘにネジ作用により取り付けるようにしている。
【００２４】
ここで、図２及び図３に示すように、コーナー部材３３の本体３３１及び脚取付部３３４の上面には、それらに連続して上面を凹没させた凹陥部３３ｘを形成している一方、この凹陥部３３ｘの平面視形状及び深さにカバー３３５の平面視形状及び厚みを対応させている。すなわち、カバー３３５は、コーナー部材３３の本体３３１の凹陥部３１５に上方から挿入されることになるが、このとき、カバー３３５の中央部にねじ挿通孔３３５ａを形成するとともに、さらにそれらに対応させて前記本体３３１の中央部に上方へ開口するねじ孔３３１ａを形成し、カバー３３５の上面側からねじ挿通孔３３５ａにそれぞれ挿入したボルトＢ１を、対応する前記本体３３１のねじ孔３３１ａに締着し固定することによって、カバー３３５を前記本体３３１に取り付けるようにしている。なお、カバー３３５の上面にボルトＢ１の頭部を突出させないために、ねじ挿通孔３３５ａの周囲に、上方へ開口しボルトＢ１の頭部を収容可能なザグリ穴３３５ｂを形成している。また、前記脚取付部３３４には、下向き凸部３３４ａの中央を通り上方に開口するねじ孔３３４ｂが形成してあり、このねじ孔３３４ｂに対応させてカバー３３５にねじ挿通孔３３５ｃを形成し、さらに天板１の隅部１ｄ近傍にもねじ挿通孔１ｘを形成してある。そして、天板１の上方からねじ挿通孔１ｘに挿入したボルトＢ２をカバー３３５のねじ挿通孔３３５ｃを通じて脚取付部３３４のねじ孔３３４ｂに締着することによって、天板１、カバー３３５及び脚取付部３３４を相互に固定するようにしている。なお、天板１の上面にボルトＢ２の頭部を突出させないために、ねじ挿通孔１ｘの周囲には、上方へ開口しボルトＢ２の頭部を収容し得るザグリ穴１ｙを形成している。
【００２５】
前記脚４は、起立姿勢で配置され、その上端部を前記脚取付部３３４に固定しているアウター部材４１と、このアウター部材４１に挿入して高さ方向に突没可能に配置されたインナー部材４２と、前記インナー部材４２の下端に設けられたアジャスタ受け４４とを備えている。
【００２６】
前記アジャスタ受け４４は、本実施形態では金属加工により形成され、前記インナー部材４２の下端に圧入するようにしている。より具体的には、その直径を前記インナー部材４２の外径に対応させた円盤状の下段部４４１と、その直径を前記インナー部材４２の内径に対応させた円柱状の中段部４４２と、前記中段部４４２よりも直径を小さく構成した円柱状の上段部４４３とを有し、下からこの順に上下に中心を一致させて一体をなして積層した構成を有している。また、下段部４４１の上端を前記インナー部材４２の下端に衝き当てる当たり面４４ｘとし、この当たり面４４ｘが前記インナー部材４２の下端に衝き当たる位置に取り付けるようにしている。そして、図５に示すように、底面の中央部に雌ねじ孔４４ａを設けていて、この雌ねじ孔４４ａに前記アジャスタ５の後述する雄ねじ部材５１１をねじ止めするとともに、ねじ作用により前記雄ねじ部材５１１を高さ方向に進退させ、前記アジャスタ５の後述する接地面５２ａをこのアジャスタ受け４４に対して高さ方向に進退させるようにしている。
【００２７】
前記アジャスタ５は、本実施形態では図２に示すように、アジャスタ本体５１と、このアジャスタ本体５１を支持しその周囲を包囲する軟質材料からなるアジャスタバンパ５２と、前記アジャスタ本体５１の上方に位置するアジャスタカバー５３とを具備する。
【００２８】
前記アジャスタ本体５１は、本実施形態では鉛直上方に延びる雄ねじ部材５１１と、この雄ねじ部材５１１の下端部に固定して設けられ、円板状をなす板状部５１２とを備えている。前記板状部５１２には係合孔５１ａが設けられ、前記アジャスタバンパ５２に係合するようにしている。
【００２９】
前記アジャスタバンパ５２は、その下面を床面に接する接地面としているとともに、その上面に前記アジャスタ本体５１を挿入する挿入凹部５２ｂを備えている。前記挿入凹部５２ｂには、その底面に係合突起５２１を、前記アジャスタ本体５１の板状部５１２に設けた係合孔５１ａと係り合うように設けてあるとともに、その内側面に前記アジャスタ本体５１の上方への抜脱を防ぐべく、前記アジャスタ本体５１の外縁部の上面に対向する位置に突条（図示略）を設けている。
【００３０】
このアジャスタバンパ５２の外縁部、すなわちこのアジャスタ５の外縁部は、いずれも平面視した場合に前記天板１の反使用端縁１ｂないし側端縁１ｃより外方に位置付けていて、天板１の反使用端縁１ｂないし側端縁１ｃは、平面視した場合にこれらアジャスタ５の外縁の共通接線よりも内側に位置している。
【００３１】
前記アジャスタカバー５３は、その平面視中央部に前記雄ねじ部材５１１を挿し通すねじ挿通孔５３ａを設けているとともに、本実施形態では、その外縁部を下方に伸ばしていて、この側縁部を前記アジャスタバンパ５２の挿入凹部５２ｂの外縁部に設けたアジャスタカバー受け溝（図示略）に挿入して前記アジャスタバンパ５２に上方から取り付けるようにしている。
【００３２】
しかして本実施形態では、前記脚４は、インナー部材４２の外面に外方から装着することにより前記アウター部材４１と前記インナー部材４２との相対移動を規制する図５に示すようなストッパ部材４３とをさらに具備する。また、前記インナー部材４２には、前記図４に示すように同一の高さ位置に周方向に離間させて係合凹部４２ａを複数形成しているとともに、前記係合凹部４２ａの組を、高さ方向において離間させて複数形成している。一方、前記ストッパ部材４３には、前記係合凹部４２ａの組に対応させて、前記係合凹部４２ａと係合可能な係合凸部４３１を複数形成している。さらに、前記アウター部材４１と前記ストッパ部材４３との間に、前記ストッパ部材４３を前記インナー部材４２に取り付けた状態で前記アウター部材４１と前記インナー部材４２との相対移動を規制する移動規制手段４５を形成している。前記ストッパ部材４３を前記インナー部材４２に取り付けた状態で前記アウター部材４１と前記ストッパ部材４３とをさらに係り合わせた状態における前記ストッパ部材４３付近の拡大正面図を図６、同じく拡大背面図を図７、図６におけるｘ−ｘ断面図を図８に示す。
【００３３】
より具体的には、前記アウター部材４１は、図２及び図３に示すように、本実施形態ではパイプ状をなす部材であり、高さ方向に連続する中空部を有し、アルミにより構成している。また、上述したように、その中空部の上端部４１ｘを前記脚取付部３３４にネジ作用により取り付けるようにしているとともに、中空部の下端部から前記インナー部材４２を挿入するようにしている。
【００３４】
前記インナー部材４２も、図２、図４、及び図８に示すように、本実施形態ではパイプ状をなす部材であり、高さ方向に連続する中空部を有し、アルミにより構成している。前記係合凹部内４２ａには、この係合凹部４２ａを通じて前記中空部内と外部とを遮断する底部４２ｂを設けている。本実施形態では、この底部４２ｂは、紙を丸めてインナー部材４２の中空部内に挿入することにより形成している。また、この底部４２ｂは、下端部を前記アジャスタ受け４４に衝き当てて位置決めを行っている。さらに、前記係合凹部４２ａの底部４２ｂの外方に露出した面に前記天板の床面からの高さ寸法を表示し得るように構成した表示部４２ｃを設けていて、この表示部に前記天板の床面からの高さ寸法を表示している。本実施形態では、底部４２ｂを構成する紙の一表面に前記天板の床面からの高さ寸法を予め印刷し、この印刷が行われた側の表面を外側に向けてインナー部材４２の中空部内に挿入するようにしている。なお、前記図８において、底部４２ｂを構成する紙の厚みは無視して示している。この底部４２ｂを構成する紙の一例を図９に示す。
【００３５】
前記ストッパ部材４３は、前記図５、図６、図７、及び図８に示すように、一部を開放した概略環状をなす形状を有し弾性変形可能なものであって、本実施形態では樹脂により形成している。また、取り付け過程において弾性変形により開放部位４３ｘを拡縮し、その内周面４３ａを前記インナー部材４２の外周面に対面させて前記図６及び図７に示すように取り付けるようにしている。
【００３６】
前記移動規制手段４５は、本実施形態では、ストッパ部材４３の上面から突出させて形成した係合爪４３２と、アウター部材４１の下端近傍に前記係合爪４３２と係合可能に形成した係合溝４１ａとからなる。前記係合爪４３２は、前記図５に示すように、本実施形態では内方に突出して設けていて、ストッパ部材４３の周方向に離間させて複数設けている。また、前記係合溝４１ａは、前記図３に示すように、本実施形態ではアウター部材４１の下端近傍の外周に周回する形状に、アウター部材４１の直径を縮小させて設けている。
【００３７】
このように構成した天板付き家具Ｔの天板１の床面からの高さ寸法を決定する手順を以下に示す。
【００３８】
まず、前記ストッパ部材４３を拡開させ、天板１の所望の床面からの高さ寸法を表示部４２ｃに表示した係合凹部４２ａに係合凸部４３１を係合させ、弾性力により前記ストッパ部材４３の拡開状態を解消させて前記ストッパ部材４３を前記インナー部材４２の外面に装着する。
【００３９】
次いで、前記アウター部材４１の中空部に前記インナー部材４２を挿入し、アウター部材４１を落とし込んでその下端を前記ストッパ部材４３の係合凸部４３１の上面に衝き当てる。
【００４０】
このとき、前記図６、図７、及び図８に示すように前記ストッパ部材４３に設けた係合爪４３２と前記アウター部材４１に設けた係合溝４１ａとが係り合う。すなわち、本実施形態ではアウター部材４１の下端を前記係合凸部４３１の上面に衝き当てた状態で前記係合爪４３２と前記係合溝４１ａとが係り合うようにしている。
【００４１】
このように構成することにより、係合凸部４３１と係合凹部４２ａとを係り合わせて前記ストッパ部材４３を前記インナー部材４２に取り付けた状態で、前記移動規制手段４５を構成する係合爪４３２と係合溝４１ａとが係り合うことができる。すなわち、前記ストッパ部材４３は前記アウター部材４１及び前記インナー部材４２の両方に対して係り合うことができる。しかも、ストッパ部材４３は前記アウター部材４１のキャップのように見せかけることができるので、固定ピンの一端部を露出させる特許文献１記載の構成と比較して、見栄えをよりよく整えることができる。さらに、このような良好な見栄えをストッパ部材４３をインナー部材４１及びアウター部材４２の両方と別々の箇所において凹凸係合させる簡単な構成で実現でき、しかもストッパ部材４３がインナー部材４１及びアウター部材４２の両方と凹凸係合しているので、確実に前記アウター部材４１と前記インナー部材４２との相対移動を規制することができる。すなわち、天板１を持ち上げた際に前記インナー部材４２が前記アウター部材４１から抜脱すること等を防ぐことができる。
【００４２】
また、ストッパ部材４３を一部を開放した環状に構成しているとともに、弾性変形を用いて開放部４３ｘを拡縮してインナー部材４２に取り付けるようにしているので、このストッパ部材４３の着脱を簡単に行うことができる。
【００４３】
加えて、前記インナー部材４２には、同一の高さ位置に周方向に離間させて複数形成した前記係合凹部４２ａの組を、高さ方向において離間させて複数形成しているとともに、前記ストッパ部材４３には、前記係合凹部４２ａの組に対応させて、前記係合凹部４２ａと係合可能な係合凸部４３１を複数形成しているので、複数組の係合凹部４２ａと係合凸部４３１とが係り合い、より安定的に前記アウター部材４１と前記インナー部材４２とを接続できる。
【００４４】
さらに、前記インナー部材４２が高さ方向に連続する中空部を有し、係合凹部４２ａ内にこの係合凹部４２ａを通じて前記中空部内を外部から遮断する底部４２ｂを設けているので、このインナー部材４２の軽量化を図ることができるとともに、前記底部４２ｂの作用により光が前記中空部に漏れるのを防ぎ、見栄えをさらに整えることができる。加えて、この係合凹部４２ａに表示部４２ｃを設けて天板１の床面からの高さ位置を表示しているので、天板１の所望の高さ位置をより容易に得ることができる。
【００４５】
なお、本発明は以上に述べた実施形態に限られない。
【００４６】
例えば、ストッパ部材の上面に上溝を設け、前記ストッパ部材をインナー部材の外面に外方から装着した状態で前記アウター部材の端部、この場合は下端部を圧入させるようにしてもよい。このようにすると、前記上溝と前記アウター部材とが係合して摩擦力が働き、天板を持ち上げても前記ストッパ部材、及びこのストッパ部材を取り付けたインナー部材が落下することがなく、前記上溝と前記アウター部材の下端部とがアウター部材とインナー部材との相対移動を規制する移動規制手段として機能する。また、前記上溝は、前記アウター部材の下端部を挿入させることにより、装着状態にあるストッパ部材の変形を防止することができ、ストッパ部材が変形して外れてしまうことをも防ぐことができる。また、このようなアウター部材挿入部をストッパ部材に設けるとともに、上述した実施形態のように、ストッパ部材に係合爪、アウター部材にこの係合爪に係合する係合溝を設け、これら係合爪と係合溝との組をも移動規制手段として機能するようにしてもよい。なお、アウター部材挿入部は、上述した構成のほかに、例えばアウター部材の端部に突起を垂直に突出させて設けた上で、この突起を挿入させるようにして設けるようにする等、アウター部材をストッパ部材に圧入できるようにしていればどのような構成であってもよい。
【００４７】
さらに、移動規制手段は、アウター部材に外方に突出させて形成した係合突起とストッパ部材の内面に前記係合突起と係合可能に形成した被係合部とから構成するようにしてもよい。
【００４８】
また、係合凹部の底部は必ずしも設けなくてもよく、インナー部材の中空部と外部とがこの係合凹部を通して連通するようにしてもよい。また、係合凹部に底部を設ける場合でも、天板の床面からの高さ位置を表示する表示部は必ずしも設けなくてもよい。
【００４９】
他の一例として、インナー部材に形成する係合凹部を、全て異なる高さ位置にしてもよい。この場合、ストッパ部材に形成する係合凸部は、１つだけ設けるようにする。
【００５０】
また、前記ストッパ部材は、外方からインナー部材の外面に装着可能なものであれば、弾性変形可能なものでなくても、例えば一部を開放するとともに、一部にヒンジを設けて開閉可能に構成した環状の部材等を用いてもよい。
【００５１】
そして、ストッパ部材の変形防止は、例えばストッパ部材にアウター部材に向けて突出する突起を設けるとともに、アウター部材にこの突起と係合可能な凹部を設ける等、ストッパ部材とアウター部材との間で上下方向に凹凸係合を行えるものであれば任意の構成を採用してよいし、ストッパ部材が十分な剛性を備えたものであれば、変形防止部を省略してもよい。
【００５２】
加えて、図１０に示すような変形形状の天板１０を用いる態様や、枠体を省略して天板の下面等に脚装置を直接取り付ける態様等、天板を支持可能に構成した脚装置全般に本発明は適用できる。さらに、天板以外にも、例えば椅子の座等、脚装置に支持させて用いるようにしているもの全般を、本発明に係る脚装置が支持する対象である家具本体とし、これら家具本体を支持する脚装置全般に本発明を適用してもよい。
【００５３】
その他、インナー部材、アウター部材、及びストッパ部材の高さ方向の位置関係を全て逆転させる態様等、本発明の趣旨を損ねない範囲で種々に変更してよい。
【００５４】
【発明の効果】
本発明に係る脚装置は、ストッパ部材とアウター部材との間に、インナー部材にストッパ部材を凹凸係合させて取り付けた状態で、インナー部材とアウター部材との相互移動を規制する移動規制手段を設けているので、ストッパ部材をアウター部材のキャップのように見せかけるようにでき、簡単な構成により見栄えを整えることができる。しかも、インナー部材にストッパ部材を凹凸係合させて取り付けた状態でストッパ部材とアウター部材との間に設けた移動規制手段を機能させて、確実にインナー部材がアウター部材から抜脱すること等、インナー部材とアウター部材との相互移動を規制することができる。
【図面の簡単な説明】
【図１】本発明の一実施形態に係る脚を用いた天板付き家具の全体斜視図。
【図２】同実施形態に係る脚を用いた天板付き家具の分解斜視図。
【図３】同実施形態に係る脚のアウター部材を示す図。
【図４】同実施形態に係る脚のインナー部材を示す図。
【図５】同実施形態に係る脚のストッパ部材を示す図。
【図６】同実施形態に係る脚の要部を示す拡大正面図。
【図７】同実施形態に係る脚の要部を示す拡大背面図。
【図８】図６におけるｘ−ｘ断面図。
【図９】同実施形態に係る脚のインナー部材の係合凹部の底部を形成する紙を示す図。
【図１０】同実施形態に係る脚装置を用いた他の天板付き家具の全体斜視図。
【符号の説明】
Ｔ…天板付き家具
１…天板
４…脚（脚装置）
４１…アウター部材
４１ａ…係合溝
４２…インナー部材
４２ａ…係合凹部
４２ｂ…底部
４２ｃ…表示部
４３…ストッパ部材
４３１…係合凸部
４３２…係合爪
４５…移動規制手段
【図１】
2004166939.tif 000003
【図２】
2004166939.tif 000004
【図３】
2004166939.tif 000005
【図４】
2004166939.tif 000006
【図５】
2004166939.tif 000007
【図６】
2004166939.tif 000008
【図７】
2004166939.tif 000009
【図８】
2004166939.tif 000010
【図９】
2004166939.tif 000011
【図１０】
2004166939.tif 000012